(57)【要約】【課題】本発明は耐衝撃スマホケースを開示した。【解決手段】耐衝撃スマホケースは、スマホケース及び前記スマホケースの外側に設置されているローラ装置を含み、前記スマホケースの中にはスマホ溝が設置され、前記スマホケースの外側には収納溝が設置され、前記ローラ装置は前記収納溝の中に置かれている前記ゴム輪を含み、本発明は構成が簡単で、使用が便利で、従来の耐衝撃スマホケースと比べ、体積がもっと小さく、ゴム輪の設置により、このスマホケースがスマホへの保護能力が大幅に向上し、三百六十度死角なしの防護を実現し、同時に、スマホを砂石など凸凹の地面に落下する時、ゴム輪が転がって緩衝を行い、スマホに傷をつけることを防止する。【選択図】図１
2020179083.tif 000002
【特許請求の範囲】
【請求項１】
スマホケース及び前記スマホケースの外側に設置されているローラ装置を含み、前記スマホケースの中にはスマホ溝が設置され、前記スマホケースの外側には収納溝が設置され、前記ローラ装置は前記収納溝の中に置かれている前記ゴム輪を含み、前記ローラ装置はまた複数組の第一ばねを含み、前記第一ばねの設置により一定の緩衝作用を果たし、前記スマホケースの中には動力チャンバが設置され、前記動力チャンバの中には駆動装置が設置され、前記駆動装置の中には電池及びモータが設置され、前記駆動装置の中にはまた加速度センサーが設置され、スマホが落下して一定の速度に達した時、前記加速度センサーが信号を提供し、これにより前記電池が前記モータに電力を提供し、前記ローラ装置の中には前記ゴム輪と固定的に連結されている輪軸が設置され、前記駆動装置の中にはリードスクリューが設置され、前記輪軸の一端が前記リードスクリューの一端と当接し、これにより前記モータが起動された時、前記リードスクリューを駆動して前記輪軸を押圧し、これにより前記ゴム輪が張り出し、前記スマホケースの中には給電装置が設置され、前記給電装置は充電プラグを含み、前記充電プラグが導線により前記電池と連結されて前記電池に電力を供給することを特徴とする耐衝撃スマホケース。
【請求項２】
前記ローラ装置は前記収納溝の内壁に設置されている第一緩衝チャンバを含み、前記第一緩衝チャンバの内壁には緩衝ブロックがスライドできるように設置され、前記緩衝ブロックの外周面と前記第一緩衝チャンバの内壁との間が前記第一ばねにより連結され、前記緩衝ブロックの中には中空回転軸が回転できるように設置され、前記中空回転軸の中には左右に貫通している抜き穴が設置され、前記抜き穴の内壁の中には環状溝が設置され、前記環状溝の中には環状ブロックがスライドできるように設置され、前記環状ブロックの前端面と前記環状溝の前壁との間が復帰ばねにより連結され、前記環状ブロックの中には前記輪軸が固定的に設置され、前記輪軸のうち前記収納溝の中に伸びている一端には前記ゴム輪が固定的に設置され、前記スマホケースの中には前記第一緩衝チャンバに連通するリードスクリューチャンバが設置され、前記輪軸のもう一端が前記リードスクリューチャンバの中に伸びており、これにより前記輪軸のスライドを実現し、更に前記ゴム輪の張り出し及び収縮を実現することを特徴とする請求項１に記載の耐衝撃スマホケース。
【請求項３】
前記駆動装置は前記動力チャンバの左右壁に左右対称的に回転できるように設置されている伝動軸を含み、前記伝動軸の一端が前記リードスクリューチャンバの中に伸びており、前記動力チャンバの中には前記伝動軸の一端に固定的に連結されている副プーリが設置され、前記伝動軸の中にはスプライン穴が設置され、前記スプライン穴の中には前記リードスクリューがスプラインにより連結され、前記リードスクリューチャンバの底壁には第二緩衝溝が設置され、前記第二緩衝溝の中にはネジ穴ブロックがスライドできるように設置され、前記ネジ穴ブロックの片側端面と前記第二緩衝溝の片側内壁との間が第二ばねにより連結され、前記リードスクリューが前記ネジ穴ブロックを貫通し、且つ前記リード前記ネジ穴ブロックとネジ山により結合されており、前記動力チャンバの前後壁の間にはモータが固定的に設置され、前記モータの左端には動力軸が動力が伝達できるように連結され、前記動力軸には主プーリが固定的に設置され、前記主プーリがベルトにより前記副プーリと結合されており、前記動力チャンバの中には前記モータと電気的に結合されている前記加速度センサーが設置され、前記動力チャンバの前後壁の間には前記電池が固定的に設置され、前記電池が前記加速度センサーに電力を提供し、これによりスマホが落下する時、前記加速度センサーが速度の変化を検知した後で前記モータを始動し、更に前記ゴム輪を張り出して緩衝を行うことを特徴とする請求項１に記載の耐衝撃スマホケース。
【請求項４】
前記給電装置は前記スマホ溝の底壁に設置されているプラグチャンバを含み、前記プラグチャンバの中には前記充電プラグがスライドできるように設置され、前記スマホケースの後端面にはスライド溝が設置され、前記スライド溝と前記プラグチャンバとの間が連通チャンバにより連通されており、前記スライド溝の中には制御スライダがスライドできるように設置され、前記制御スライダの前端面が連結ロッドにより前記充電プラグと固定的に連結され、前記スマホケースの中には前記プラグチャンバと前記動力チャンバとを連通する線溝が設置され、前記充電プラグの下端面には前記導線が固定的に設置され、前記導線が前記線溝により前記電池と連結され、これにより前記充電プラグをスマホの中に挿し込んで前記電池に充電することができることを特徴とする請求項１に記載の耐衝撃スマホケース。
【発明の詳細な説明】
【技術分野】
【０００１】
本発明は生活用品技術分野を取り上げて、具体的には耐衝撃スマホケースである。
【背景技術】
【０００２】
スマホが落下する時、一般的なスマホケースはスマホをよく保護することができなく、市販されている耐衝撃スマホケースは一般的に体積が大きく、手で持ちにくく、携帯も不便であり、且つ保護の範囲が小さく、一定の角度の範囲内の落下だけを保護することができ、同時に従来の耐衝撃スマホケースは砂石など凸凹の地面に対応できなく、以上の欠点について、本装置を提出した。
【先行技術文献】
【特許文献】
【０００３】
【特許文献１】中国特許出願公開第107426381号明細書
【発明の概要】
【発明が解決しようとする課題】
【０００４】
上記技術の不足について、本発明は耐衝撃スマホケースを提出し、上記欠点を解消することができる。
【課題を解決するための手段】
【０００５】
本発明は装置の耐衝撃スマホケースであり、スマホケース及び前記スマホケースの外側に設置されているローラ装置を含み、前記スマホケースの中にはスマホ溝が設置され、前記スマホケースの外側には収納溝が設置され、前記ローラ装置は前記収納溝の中に置かれている前記ゴム輪を含み、前記ローラ装置はまた複数組の第一ばねを含み、前記第一ばねの設置により一定の緩衝作用を果たし、前記スマホケースの中には動力チャンバが設置され、前記動力チャンバの中には駆動装置が設置され、前記駆動装置の中には電池及びモータが設置され、前記駆動装置の中にはまた加速度センサーが設置され、スマホが落下して一定の速度に達した時、前記加速度センサーが信号を提供し、これにより前記電池が前記モータに電力を提供し、前記ローラ装置の中には前記ゴム輪と固定的に連結されている輪軸が設置され、前記駆動装置の中にはリードスクリューが設置され、前記輪軸の一端が前記リードスクリューの一端と当接し、これにより前記モータが起動された時、前記リードスクリューを駆動して前記輪軸を押圧し、これにより前記ゴム輪が張り出し、前記スマホケースの中には給電装置が設置され、前記給電装置は充電プラグを含み、前記充電プラグが導線により前記電池と連結されて前記電池に電力を供給する。
【０００６】
好ましくは、前記ローラ装置は前記収納溝の内壁に設置されている第一緩衝チャンバを含み、前記第一緩衝チャンバの内壁には緩衝ブロックがスライドできるように設置され、前記緩衝ブロックの外周面と前記第一緩衝チャンバの内壁との間が前記第一ばねにより連結され、前記緩衝ブロックの中には中空回転軸が回転できるように設置され、前記中空回転軸の中には左右に貫通している抜き穴が設置され、前記抜き穴の内壁の中には環状溝が設置され、前記環状溝の中には環状ブロックがスライドできるように設置され、前記環状ブロックの前端面と前記環状溝の前壁との間が復帰ばねにより連結され、前記環状ブロックの中には前記輪軸が固定的に設置され、前記輪軸のうち前記収納溝の中に伸びている一端には前記ゴム輪が固定的に設置され、前記スマホケースの中には前記第一緩衝チャンバに連通するリードスクリューチャンバが設置され、前記輪軸のもう一端が前記リードスクリューチャンバの中に伸びており、これにより前記輪軸のスライドを実現し、更に前記ゴム輪の張り出し及び収縮を実現する。
【０００７】
好ましくは、前記駆動装置は前記動力チャンバの左右壁に左右対称的に回転できるように設置されている伝動軸を含み、前記伝動軸の一端が前記リードスクリューチャンバの中に伸びており、前記動力チャンバの中には前記伝動軸の一端に固定的に連結されている副プーリが設置され、前記伝動軸の中にはスプライン穴が設置され、前記スプライン穴の中には前記リードスクリューがスプラインにより連結され、前記リードスクリューチャンバの底壁には第二緩衝溝が設置され、前記第二緩衝溝の中にはネジ穴ブロックがスライドできるように設置され、前記ネジ穴ブロックの片側端面と前記第二緩衝溝の片側内壁との間が第二ばねにより連結され、前記リードスクリューが前記ネジ穴ブロックを貫通し、且つ前記リード前記ネジ穴ブロックとネジ山により結合されており、前記動力チャンバの前後壁の間にはモータが固定的に設置され、前記モータの左端には動力軸が動力が伝達できるように連結され、前記動力軸には主プーリが固定的に設置され、前記主プーリがベルトにより前記副プーリと結合されており、前記動力チャンバの中には前記モータと電気的に結合されている前記加速度センサーが設置され、前記動力チャンバの前後壁の間には前記電池が固定的に設置され、前記電池が前記加速度センサーに電力を提供し、これによりスマホが落下する時、前記加速度センサーが速度の変化を検知した後で前記モータを始動し、更に前記ゴム輪を張り出して緩衝を行う。
【０００８】
好ましくは、前記給電装置は前記スマホ溝の底壁に設置されているプラグチャンバを含み、前記プラグチャンバの中には前記充電プラグがスライドできるように設置され、前記スマホケースの後端面にはスライド溝が設置され、前記スライド溝と前記プラグチャンバとの間が連通チャンバにより連通されており、前記スライド溝の中には制御スライダがスライドできるように設置され、前記制御スライダの前端面が連結ロッドにより前記充電プラグと固定的に連結され、前記スマホケースの中には前記プラグチャンバと前記動力チャンバとを連通する線溝が設置され、前記充電プラグの下端面には前記導線が固定的に設置され、前記導線が前記線溝により前記電池と連結され、これにより前記充電プラグをスマホの中に挿し込んで前記電池に充電することができる。
【発明の効果】
【０００９】
以上により、本発明は構成が簡単で、使用が便利で、従来の耐衝撃スマホケースと比べ、体積がもっと小さく、ゴム輪の設置により、このスマホケースがスマホへの保護能力が大幅に向上し、三百六十度死角なしの防護を実現し、同時に、スマホを砂石など凸凹の地面に落下する時、ゴム輪が転がって緩衝を行い、スマホに傷をつけることを防止する。
【図面の簡単な説明】
【００１０】
以下に図１〜６を交えて本発明について詳しく説明する。便利に叙述するために、後文に出る方位を下記の通りに規定する：後文に出る上下左右前後方向は図１本体の投影関係の上下左右前後方向と一致する。
【００１１】
【図１】図１は本発明の耐衝撃スマホケースの全体構成模式図
【図２】図２は図１の中の「Ａ−Ａ」における構成模式図
【図３】図３は図１の中の「Ｂ−Ｂ」における構成模式図
【図４】図４は図１の中の「Ｃ−Ｃ」における構成模式図
【図５】図５は図１の中の「Ｄ−Ｄ」における構成模式図
【図６】図６は図２の中の「Ｅ」における構成模式図
【発明を実施するための形態】
【００１２】
以下は付図説明と実施例を交えて本発明を更に説明し、本発明の方式は以下の実施例を含むが、これのみに限定されるものではない。
【００１３】
図１〜６に示すように、本発明装置の耐衝撃スマホケースは、スマホケース１０及び前記スマホケース１０の外側に設置されているローラ装置１００を含み、前記スマホケース１０の中にはスマホ溝１１が設置され、前記スマホケース１０の外側には収納溝１３が設置され、前記ローラ装置１００は前記収納溝１３の中に置かれている前記ゴム輪１２を含み、前記ローラ装置１００はまた複数組の第一ばね１５を含み、前記第一ばね１５の設置により一定の緩衝作用を果たし、前記スマホケース１０の中には動力チャンバ２７が設置され、前記動力チャンバ２７の中には駆動装置２００が設置され、前記駆動装置２００の中には電池３２及びモータ２９が設置され、前記駆動装置２００の中にはまた加速度センサー３３が設置され、スマホが落下して一定の速度に達した時、前記加速度センサー３３が信号を提供し、これにより前記電池３２が前記モータ２９に電力を提供し、前記ローラ装置１００の中には前記ゴム輪１２と固定的に連結されている輪軸１７が設置され、前記駆動装置２００の中にはリードスクリュー１９が設置され、前記輪軸１７の一端が前記リードスクリュー１９の一端と当接し、これにより前記モータ２９が起動された時、前記リードスクリュー１９を駆動して前記輪軸１７を押圧し、これにより前記ゴム輪１２が張り出し、前記スマホケース１０の中には給電装置３００が設置され、前記給電装置３００は充電プラグ３６を含み、前記充電プラグ３６が導線３０により前記電池３２と連結されて前記電池３２に電力を供給する。
【００１４】
有益的には、前記ローラ装置１００は前記収納溝１３の内壁に設置されている第一緩衝チャンバ１４を含み、前記第一緩衝チャンバ１４の内壁には緩衝ブロック１６がスライドできるように設置され、前記緩衝ブロック１６の外周面と前記第一緩衝チャンバ１４の内壁との間が前記第一ばね１５により連結され、前記緩衝ブロック１６の中には中空回転軸４１が回転できるように設置され、前記中空回転軸４１の中には左右に貫通している抜き穴４５が設置され、前記抜き穴４５の内壁の中には環状溝４２が設置され、前記環状溝４２の中には環状ブロック４４がスライドできるように設置され、前記環状ブロック４４の前端面と前記環状溝４２の前壁との間が復帰ばね４３により連結され、前記環状ブロック４４の中には前記輪軸１７が固定的に設置され、前記輪軸１７のうち前記収納溝１３の中に伸びている一端には前記ゴム輪１２が固定的に設置され、前記スマホケース１０の中には前記第一緩衝チャンバ１４に連通するリードスクリューチャンバ１８が設置され、前記輪軸１７のもう一端が前記リードスクリューチャンバ１８の中に伸びており、これにより前記輪軸１７のスライドを実現し、更に前記ゴム輪１２の張り出し及び収縮を実現する。
【００１５】
有益的には、前記駆動装置２００は前記動力チャンバ２７の左右壁に左右対称的に回転できるように設置されている伝動軸２３を含み、前記伝動軸２３の一端が前記リードスクリューチャンバ１８の中に伸びており、前記動力チャンバ２７の中には前記伝動軸２３の一端に固定的に連結されている副プーリ２１が設置され、前記伝動軸２３の中にはスプライン穴２０が設置され、前記スプライン穴２０の中には前記リードスクリュー１９がスプラインにより連結され、前記リードスクリューチャンバ１８の底壁には第二緩衝溝２４が設置され、前記第二緩衝溝２４の中にはネジ穴ブロック２６がスライドできるように設置され、前記ネジ穴ブロック２６の片側端面と前記第二緩衝溝２４の片側内壁との間が第二ばね２５により連結され、前記リードスクリュー１９が前記ネジ穴ブロック２６を貫通し、且つ前記リード前記ネジ穴ブロック２６とネジ山により結合されており、前記動力チャンバ２７の前後壁の間にはモータ２９が固定的に設置され、前記モータ２９の左端には動力軸２８が動力が伝達できるように連結され、前記動力軸２８には主プーリ３４が固定的に設置され、前記主プーリ３４がベルト２２により前記副プーリ２１と結合されており、前記動力チャンバ２７の中には前記モータ２９と電気的に結合されている前記加速度センサー３３が設置され、前記動力チャンバ２７の前後壁の間には前記電池３２が固定的に設置され、前記電池３２が前記加速度センサー３３に電力を提供し、これによりスマホが落下する時、前記加速度センサー３３が速度の変化を検知した後で前記モータ２９を始動し、更に前記ゴム輪１２を張り出して緩衝を行う。
【００１６】
有益的には、前記給電装置３００は前記スマホ溝１１の底壁に設置されているプラグチャンバ３５を含み、前記プラグチャンバ３５の中には前記充電プラグ３６がスライドできるように設置され、前記スマホケース１０の後端面にはスライド溝３９が設置され、前記スライド溝３９と前記プラグチャンバ３５との間が連通チャンバ３７により連通されており、前記スライド溝３９の中には制御スライダ４０がスライドできるように設置され、前記制御スライダ４０の前端面が連結ロッド３８により前記充電プラグ３６と固定的に連結され、前記スマホケース１０の中には前記プラグチャンバ３５と前記動力チャンバ２７とを連通する線溝３１が設置され、前記充電プラグ３６の下端面には前記導線３０が固定的に設置され、前記導線３０が前記線溝３１により前記電池３２と連結され、これにより前記充電プラグ３６をスマホの中に挿し込んで前記電池３２に充電することができる。
【００１７】
前記耐衝撃スマホケースの実現方法は、以下のステップを含む：
【００１８】
使用する時、携帯をスマホ溝１１の中に置き、上へ制御スライダ４０をスライドさせ、連結ロッド３８により充電プラグ３６を連動させて上昇させて充電プラグ３６をスマホの充電ポートの中に挿し込み、導線３０により電池３２に充電し、充電し終わったら下へ制御スライダ４０をスライドさせ、これにより充電プラグ３６がスマホの充電ポートから離脱し、携帯が落下する時、加速度センサー３３が速度の変化を検知した後でモータ２９を始動し、動力軸２８と、主プーリ３４と、ベルト２２とにより副プーリ２１を連動させて回転させ、副プーリ２１が伝動軸２３を連動させて回転させてリードスクリュー１９をスマホケース１０の外側方向へ張り出し、リードスクリュー１９が輪軸１７を押圧し、これによりゴム輪１２が張り出して緩衝を行い、第二ばね２５と、第一ばね１５とがいずれも緩衝作用を果たし、スマホが運動を停止した後、モータ２９が起動して逆方向へ回転してリードスクリュー１９を復帰させ、輪軸１７が復帰ばね４３の作用のもとで復帰してゴム輪１２を連動させて復帰させる。
【００１９】
以上により、本発明は構成が簡単で、使用が便利で、従来の耐衝撃スマホケースと比べ、体積がもっと小さく、ゴム輪の設置により、このスマホケースがスマホへの保護能力が大幅に向上し、三百六十度死角なしの防護を実現し、同時に、スマホを砂石など凸凹の地面に落下する時、ゴム輪が転がって緩衝を行い、スマホに傷をつけることを防止する。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179083.tif 000003
【図２】
2020179083.tif 000004
【図３】
2020179083.tif 000005
【図４】
2020179083.tif 000006
【図５】
2020179083.tif 000007
【図６】
2020179083.tif 000008